【事件の表示】
　特願２０１７−１０４９８２「センサ付きカテーテル」拒絶査定不服審判事件〔平成２９年１１月３０日出願公開、特開２０１７−２０９５０１〕について、次のとおり審決する。
【結　論】
　本件審判の請求は、成り立たない。
【理　由】
第１　手続の経緯
　本願は、平成２６年１０月１０日に出願した特願２０１４−２０９３５７号（以下「原出願」という。）の一部を平成２９年５月２６日に新たな特許出願としたものであって、その後の手続の経緯は以下のとおりである。
　平成２９年　６月２９日付け：拒絶理由通知 
　平成２９年　８月２９日　　：意見書、手続補正書 
　平成２９年１０月１８日付け：拒絶査定
　平成３０年　１月２３日　　：審判請求
　平成３１年　４月１０日付け：審尋
　令和　元年　６月１１日　　：回答書
第２　本願発明
　平成２９年　８月２９日に提出された手続補正書により補正された特許請求の範囲の請求項１に係る発明（以下「本願発明」という。）は、以下のとおりである。
「先端が開口し、軸方向内部がメインルーメンに形成されたインナーチューブと、
先端が開口し、軸方向内部がインナーチューブのメインルーメンより大径のルーメンに形成されるとともに、該ルーメンとインナーチューブとの間に環状のバルーンルーメンが形成されたアウターチューブと、
前記アウターチューブの先端部とインナーチューブの先端部間にわたり設けられたバルーンと、
前記バルーンルーメン内のインナーチューブの外周面に長手方向に沿って接着して配置された光ファイバーと、
前記光ファイバーの先端に設けられた該ファイバーと略同径のセンサと、
前記インナーチューブの先端の外周面に嵌合して配置され、軸方向に先後端開口の孔部が設けられた先端チップと、
前記先端チップの孔部に挿着された先後端開口の金属パイプと、
前記金属パイプ内に挿着され、前記センサを先端に有する光ファイバーの先端部におけるセンサ以外を覆う保護チューブと、
を具え、
前記センサは、金属パイプの先端開口より後側であって、保護チューブの先端開口より前側に位置し、金属パイプの先端開口から先端チップの孔部の先端開口を臨み、かつ金属パイプで緩衝することなく覆われており、前記金属パイプの周壁の厚みは、前記光ファイバーの半径以下の肉薄に形成されていることを特徴とするセンサ付きカテーテル。」
第３　原査定の拒絶の理由
　原査定の拒絶の理由は、本願発明は、本願の出願日前に日本国内又は外国において、頒布された又は電気通信回線を通じて公衆に利用可能となった下記の引用文献２、３に記載された発明に基づいて、その出願前にその発明の属する技術の分野における通常の知識を有する者が容易に発明をすることができたものであるから、特許法２９条２項の規定により特許を受けることができない、というものである。
　ここで引用文献２、３は、原出願の出願日の時点で頒布されていた引用文献である。
引用文献２：特開２０１０−２３３８８３号公報
引用文献３：特開平７−２８６９２３号公報
第４　引用文献の記載及び引用発明
１　引用文献２の記載事項
（１）上記引用文献２には、図面とともに、次の記載がある。
「【００１５】
　図１に示す本発明の一実施形態に係るバルーンカテーテル２０は、大動脈内バルーンポンピング法に用いるバルーンカテーテルであり、心臓の拍動に合わせて膨張および収縮するバルーン部２２を有する。バルーン部２２は、膜厚５０〜１５０μｍ程度の薄膜で構成される。薄膜の材質は、特に限定されないが、耐屈曲疲労特性に優れた材質であることが好ましく、例えばポリウレタンなどにより構成される。」
「【００１７】
　このバルーン部２２の遠位端部２２ａは、先端チップ部２５の外周に熱融着ないしは接着などの手段で取り付けてある。この先端チップ部２５には、図２および図３に示すように、軸方向に連通するワイヤ挿通孔２３が形成してあり、その近位端側に、内管３０の遠位端部が入り込み、熱融着ないしは接着などの手段で、内管３０の内部とワイヤ挿通孔が連通するように、内管３０の遠位端が先端チップ２５の近位端に固定してある。
【００１８】
　図３に示すように、先端チップ２５の内部には、ワイヤ挿通孔２３とは別に、センサ収容孔３６が形成してある。センサ収容孔３６には、後述する圧力センサ４０が収容してある。センサ収容孔３６の遠位端開口には、柔軟性を有する先端隔壁膜３９が熱溶着あるいは接着により接合され、内部を密封状態に閉じている。先端隔壁膜３９は、たとえば膜厚が２〜２０μｍ程度のポリウレタン膜、シリコーン膜、ポリアミドエラストマー膜、ポリエステルエラストマー膜、ポリエチレン膜、ポリプロピレン膜などで構成される。」
「【００２０】
　図１に示すように、バルーン部２２の近位端部２２ｂは、外管２４の遠位端部外周に接続してある。この外管２４の内部に形成された圧力流体導通路２９を通じて、バルーン部２２の内部に、圧力流体が導入および導出され、バルーン部２２が膨張および収縮するようになっている。バルーン部２２と外管２４との接続は、熱融着あるいは接着剤による接着により行われる。
【００２１】
　内管３０は、バルーン部２２および外管２４の内部を軸方向に延在し、その内部には、バルーン部２２の内部および外管２４内に形成された圧力流体導通路２９とは連通しないワイヤ通路３１が形成してあり、後述する分岐部２６の第２ポート３２に連通している。」
「【００２７】
　本実施形態では、外管２４と内管３０とは、接着剤により固着してあることが好ましい。このように外管２４と内管３０とを固着することで、外管２４内の圧力流体導通路２９の流路抵抗が低くなり、バルーン部２２の応答性が向上する。」
「【００３４】
　図５に示すように、本実施形態では、先端チップ２５のセンサ収容孔３６の遠位端部には、短チューブ３７が埋め込まれている。短チューブ３７の近位端内部には、栓部材３５が接着または融着などの手段で固定してある。栓部材３５には、その中央部に通孔３５ａが形成してあり、その通孔３５ａを通して、光ファイバ３３がセンサ収容孔３６の近位端側に引き出されている。
【００３５】
　図３に示すように、センサ収容孔３６の近位端側に引き出された光ファイバ３３は、先端チップ２５に形成してある通孔２７を通して、バルーン部２２の内部に引き出される。バルーン部の内部では、光ファイバ３３は、熱収縮チューブ３４により、内管３０の外周部に固定される。
【００３６】
　光ファイバ３３の遠位端には、圧力センサ４０が接続してあり、光ファイバ３３の遠位側の一部は、熱融着、接着、かしめなどの手段で、栓部材３５に固定してある。栓部材３５と短チューブ３７と先端隔壁膜３９とで囲まれた空間が、ゲル状物質の充填空間３８を構成し、栓部材３５が高剛性の後端隔壁を構成し、短チューブ３７が周囲壁を構成している。
　圧力センサ４０としては、特表２００８−５２４６０６号公報、特開２０００−３５３６９号公報などに記載されたものを用いることができる。
【００３７】
　短チューブ３７は、先端チップ２５に形成してあるセンサ収容孔３６の軸方向長さと同等かそれよりも短く構成してあり、その膜厚は、好ましくは３０〜１５０μｍであり、たとえばポリウレタン、ポリアミド、ポリエステル、シリコーン、ステンレス、ニッケルチタン、ガラス、セラミックスなどで構成される。
【００３８】
　栓部材３５は、たとえば金属あるいはセラミックスなどのような高剛性材料で構成してある。高剛性材料としては、ステンレス、鉄、アルミニウム、ニッケルチタン、ガラスなどが例示される。ステンレスとしては、ＳＵＳ３０４、ＳＵＳ３１６、ＳＵＳ４４０などが例示される。」
「図１
」
「図３
」
「図５
」
（２）上記記載から、引用文献２には、次の技術的事項が記載されているものと認められる。
（ア）「この先端チップ部２５には、図２および図３に示すように、軸方向に連通するワイヤ挿通孔２３が形成してあり、その近位端側に、内管３０の遠位端部が入り込み、熱融着ないしは接着などの手段で、内管３０の内部とワイヤ挿通孔が連通するように、内管３０の遠位端が先端チップ２５の近位端に固定してある」（【００１７】）という記載、「内管３０は、バルーン部２２および外管２４の内部を軸方向に延在し、その内部には、バルーン部２２の内部および外管２４内に形成された圧力流体導通路２９とは連通しないワイヤ通路３１が形成してあ」る（【００２１】）という記載、及び図３には内管３０の遠位端が開口している点が見て取れるから、内管３０の遠位端は開口し、軸方向に延在する内部にワイヤ通路３１が形成された内管３０が記載されている。
（イ）「図１に示すように、バルーン部２２の近位端部２２ｂは、外管２４の遠位端部外周に接続してある。この外管２４の内部に形成された圧力流体導通路２９を通じて、バルーン部２２の内部に、圧力流体が導入および導出され、バルーン部２２が膨張および収縮するようになっている。バルーン部２２と外管２４との接続は、熱融着あるいは接着剤による接着により行われる。」（【００２０】）という記載、「内管３０は、バルーン部２２および外管２４の内部を軸方向に延在し」（【００２１】）という記載、図４には外管２４の遠位端が開口している点が見て取れること、及び図１から、外管２４の遠位端は開口し、内部には軸方向に内管３０が延在するとともに、内部に環状の圧力流体導通路２９が形成された外管２４といえる。
（ウ）「このバルーン部２２の遠位端部２２ａは、先端チップ部２５の外周に熱融着ないしは接着などの手段で取り付けてある。この先端チップ部２５には、図２および図３に示すように、軸方向に連通するワイヤ挿通孔２３が形成してあり、その近位端側に、内管３０の遠位端部が入り込み、熱融着ないしは接着などの手段で、内管３０の内部とワイヤ挿通孔が連通するように、内管３０の遠位端が先端チップ２５の近位端に固定してある。」（【００１７】）という記載、「図１に示すように、バルーン部２２の近位端部２２ｂは、外管２４の遠位端部外周に接続してある。」（【００２０】）という記載、及び図３から、先端チップ部２５における内管３０の遠位端部外周にあたる部分と外管２４の遠位端部との間にわたりバルーン部２２が設けられた、ということができる。
（エ）「図３に示すように、センサ収容孔３６の近位端側に引き出された光ファイバ３３は、先端チップ２５に形成してある通孔２７を通して、バルーン部２２の内部に引き出される。バルーン部の内部では、光ファイバ３３は、熱収縮チューブ３４により、内管３０の外周部に固定される。」（【００３５】）という記載から、光ファイバ３３はバルーン部２２の内部において熱収縮チューブ３４により内管３０の外周部に固定される、ということができる。
（オ）「この先端チップ部２５には、図２および図３に示すように、軸方向に連通するワイヤ挿通孔２３が形成してあり、その近位端側に、内管３０の遠位端部が入り込み、熱融着ないしは接着などの手段で、内管３０の内部とワイヤ挿通孔が連通するように、内管３０の遠位端が先端チップ２５の近位端に固定してある。」（【００１７】）という記載、「 図３に示すように、先端チップ２５の内部には、ワイヤ挿通孔２３とは別に、センサ収容孔３６が形成してある。」（【００１８】）という記載、「図３に示すように、センサ収容孔３６の近位端側に引き出された光ファイバ３３は、先端チップ２５に形成してある通孔２７を通して、バルーン部２２の内部に引き出される。」（【００３５】）という記載、及び図３にはセンサ収容孔３６及び通孔２７が、先端チップ２５の軸方向に貫通するように設けられていることが見て取れることから、内管３０の遠位端が先端チップ２５の近位端に入り込み、固定され、センサ収容孔３６及び通孔２７が軸方向に貫通するように設けられた先端チップ２５が記載されている。
（カ）「図５に示すように、本実施形態では、先端チップ２５のセンサ収容孔３６の遠位端部には、短チューブ３７が埋め込まれている。」（【００３４】）という記載、「短チューブ３７は、先端チップ２５に形成してあるセンサ収容孔３６の軸方向長さと同等かそれよりも短く構成してあり、その膜厚は、好ましくは３０〜１５０μｍであり、たとえばポリウレタン、ポリアミド、ポリエステル、シリコーン、ステンレス、ニッケルチタン、ガラス、セラミックスなどで構成される。」（【００３７】）という記載から、先端チップ２５のセンサ収容孔３６には、ステンレスで構成される短チューブ３７が埋め込まれているといえる。
（キ）「短チューブ３７の近位端内部には、栓部材３５が接着または融着などの手段で固定してある。栓部材３５には、その中央部に通孔３５ａが形成してあり、その通孔３５ａを通して、光ファイバ３３がセンサ収容孔３６の近位端側に引き出されている。」（【００３４】）という記載、「光ファイバ３３の遠位端には、圧力センサ４０が接続してあり、光ファイバ３３の遠位側の一部は、熱融着、接着、かしめなどの手段で、栓部材３５に固定してある。」（【００３６】）という記載、及び図５から、短チューブ３７の近位端内部には、その中央部に形成された通孔３５ａに、遠位端に圧力センサ４０が接続された光ファイバ３３が配置された栓部材３５が固定されているといえる。
（ク）「光ファイバ３３の遠位端には、圧力センサ４０が接続してあり、光ファイバ３３の遠位側の一部は、熱融着、接着、かしめなどの手段で、栓部材３５に固定してある。栓部材３５と短チューブ３７と先端隔壁膜３９とで囲まれた空間が、ゲル状物質の充填空間３８を構成し、栓部材３５が高剛性の後端隔壁を構成し、短チューブ３７が周囲壁を構成している。」（【００３６】）という記載及び図５から、圧力センサ４０は、短チューブ３７の遠位端より近位端側に位置し、栓部材３５の遠位端より遠位端側に位置することで、短チューブ３７の遠位端側を向き、栓部材３５と短チューブ３７と先端隔壁膜３９とで囲まれた充填空間３８内に圧力センサ４０が配置されたものといえる。
（３）引用発明
　上記（１）（２）からみて、引用文献２には、以下の発明が記載されている（以下「引用発明」という。）。
「遠位端は開口し、軸方向に延在する内部にワイヤ通路３１が形成された内管３０と、
遠位端は開口し、内部には軸方向に内管３０が延在するとともに、内部に環状の圧力流体導通路２９が形成された外管２４と、
先端チップ部２５の内管３０の遠位端部外周にあたる部分と外管２４の遠位端部との間にわたりバルーン部２２が設けられ、
バルーン部２２の内部において熱収縮チューブ３４により内管３０の外周部に固定される光ファイバ３３と、
光ファイバ３３の遠位端に接続された圧力センサ４０と、
内管３０の遠位端が先端チップ２５の近位端に入り込み、固定され、センサ収容孔３６及び通孔２７が軸方向に貫通するように設けられた先端チップ２５と、を備え、
先端チップ２５のセンサ収容孔３６には、ステンレスで構成される短チューブ３７が埋め込まれ、
短チューブ３７の近位端内部には、その中央部に形成された通孔３５ａに、遠位端に圧力センサ４０が接続された光ファイバ３３が配置された栓部材３５が固定され、
圧力センサ４０は、短チューブ３７の遠位端より近位端側に位置し、栓部材３５の遠位端より遠位端側に位置することで、短チューブ３７の遠位端側を向き、栓部材３５と短チューブ３７と先端隔壁膜３９とで囲まれた充填空間３８内に圧力センサ４０が配置されたバルーンカテーテル２０。」
２　引用文献３の記載事項
（１）上記引用文献３には、図面とともに、次の記載がある
「【０００４】
前記の血管等に挿入できる圧力センサは、心臓の冠状動脈内狭窄物を治療するためのホットバルーンカテーテルの形成などに必要なものである。すなわちかかるカテーテルは、バルーンへの造影剤の注入によるバルーンの圧力及び造影剤のレーザ加熱による熱により前記狭窄物を拡張する治療を行うものであり、その治療時にバルーン圧による拡張力を高くしすぎると血管が破裂する恐れがあるためバルーンの内圧検知が必須となる。
【０００５】
【発明が解決しようとする課題】本発明は、前記のような血管等の生体内や細管に適用することができる超小型物も容易に形成できる圧力センサの開発を課題とする。」
「【０００９】
【実施例】本発明の圧力センサは、単繊維からなる光ファイバの先端にその光ファイバと同径以下の半導体からなるダイヤフラムが接合されたものである。その例を図１に示した。１がダイヤフラム、２が単繊維からなる光ファイバである。」
（２）上記記載から、引用文献３には、次の技術（以下「引用文献３技術」という。）が記載されているものと認められる。
「バルーンカテーテルに用いる圧力センサであって、圧力センサとして光ファイバの先端に同径以下のダイヤフラムが接合されたものである技術。」
第５　対比 
　本願発明と引用発明を対比すると、以下のとおりとなる。
（１）引用発明の「遠位端」は、その文言の意味、機能または構成等からみて、本願発明の「先端」に相当する。以下同様に、「軸方向に延在する内部」は「軸方向内部」に、「ワイヤ通路３１」は「メインルーメン」に、「内管３０」は「インナーチューブ」に、「圧力流体導通路２９」は「バルーンルーメン」に、「外管２４」は「アウターチューブ」に、「バルーン部２２」は「バルーン」に、「光ファイバ３３」は「光ファイバー」に、「接続された」は「設けられた」に、「圧力センサ４０」は「センサ」に、「センサ収容孔３６及び通孔２７」は「孔部」に、「先端チップ２５」は「先端チップ」に、「近位端側」は「後側」に、「遠位端側」は「前側」に、それぞれ相当する。
（２）引用発明における外管２４について、「内部には軸方向に内管３０が延在する」態様は、外管２４は管であることから軸方向を有するとともに、外管２４の内部に内管３０が延在していることから、本願発明の「軸方向内部がインナーチューブのメインルーメンより大径のルーメンに形成される」態様に相当する。
（３）引用発明における外管２４について、「内部に圧力流体導通路２９が形成された」態様は、本願発明の「該ルーメンとインナーチューブとの間にバルーンルーメンが形成された」態様に相当する。
（４）引用発明におけるバルーン部２２は、先端チップ部２５における内管３０の遠位端部外周にあたる部分と外管２４の遠位端部との間にわたり設けられている一方、本願発明のバルーンは、アウターチューブの先端部とインナーチューブの先端部間にわたり設けられていることから、引用発明と本願発明とは、バルーンはアウターチューブの先端部近傍位置とインナーチューブの先端部間にわたり設けられている限りにおいて一致する。
（５）引用発明における光ファイバ３３は、バルーン部２２の内部において熱収縮チューブ３４により内管３０の外周部に固定される一方、本願発明の光ファイバーは、バルーンルーメン内のインナーチューブの外周面に長手方向に沿って接着して配置されていることから、引用発明と本願発明とは、光ファイバーはインナーチューブの外周面に長手方向に沿って固定される限りにおいて一致するといえる。
（６）引用発明における、「内管３０の遠位端が先端チップ２５の近位端に入り込み、固定され」た態様は、本願発明における「インナーチューブの先端の外周面に嵌合して配置され」た態様に相当する。
（７）引用発明における「センサ収容孔３６及び通孔２７が軸方向に貫通するように設けられた」態様は、本願発明における「軸方向に先後端開口の孔部が設けられた」態様といえる。
（８）引用発明における「ステンレスで構成される短チューブ３７」は、本願発明における「金属パイプ」に相当し、短チューブ３７が先後端開口を有していることは明らかである。
（９）引用発明における、短チューブ３７が「埋め込まれ」る態様は、本願発明における、金属パイプが孔部に「挿着された」態様に相当する。
（１０）引用発明における「短チューブ３７の近位端内部には」「栓部材３５が固定され」る態様は、本願発明における「金属パイプ内に挿着され」る態様に相当する。
（１１）引用発明における「栓部材３５」は、短チューブ３７内に固定されるとともに、光ファイバ３３の遠位端の一部を固定していることから、本願発明の「保護チューブ」に相当する。
（１２）引用発明における、栓部材３５について「その中央部に形成された通孔３５ａに」「光ファイバ３３が配置された」態様は、本願発明における「光ファイバーの先端部におけるセンサ以外を覆う」態様に相当する。
（１３）引用発明における「栓部材３５の遠位端」は、栓部材３５は通孔３５ａを有していることから開口を有することは明らかであることから、栓部材３５の遠位端の開口は、本願発明の「保護チューブの先端開口」に相当する。
（１４）引用発明における「短チューブ３７の遠位端側を向き」は、短チューブ３７は先端チップ部２５のセンサ収容孔３６に設けられていることから、本願発明の「金属パイプの先端開口から先端チップの孔部の先端開口を臨み」に相当する。
（１５）引用発明における「栓部材３５と短チューブ３７と先端隔壁膜３９とで囲まれた充填空間３８内に圧力センサ４０が配置された」態様は、本願発明の「センサは」「金属パイプで緩衝することなく覆われて」いる態様に相当する。
（１６）引用発明における「バルーンカテーテル２０」は、圧力センサ４０を有していることから、本願発明における「センサ付きカテーテル」に相当する。
　したがって、本願発明と引用発明との一致点及び相違点は，次のとおりである。
【一致点】 
 「先端が開口し、軸方向内部がメインルーメンに形成されたインナーチューブと、
先端が開口し、軸方向内部がインナーチューブのメインルーメンより大径のルーメンに形成されるとともに、該ルーメンとインナーチューブとの間に環状のバルーンルーメンが形成されたアウターチューブと、
前記アウターチューブの先端部近傍位置とインナーチューブの先端部間にわたり設けられたバルーンと、
インナーチューブの外周面に長手方向に沿って固定された光ファイバーと、
前記光ファイバーの先端に設けられたセンサと、
前記インナーチューブの先端の外周面に嵌合して配置され、軸方向に先後端開口の孔部が設けられた先端チップと、
前記先端チップの孔部に挿着された先後端開口の金属パイプと、
前記金属パイプ内に挿着され、前記センサを先端に有する光ファイバーの先端部におけるセンサ以外を覆う保護チューブと、
を具え、
前記センサは、金属パイプの先端開口より後側であって、保護チューブの先端開口より前側に位置し、金属パイプの先端開口から先端チップの孔部の先端開口を臨み、かつ金属パイプで緩衝することなく覆われているセンサ付きカテーテル。」 
【相違点１】
　本願発明のバルーンは、アウターチューブの先端部とインナーチューブの先端部間にわたり設けられているのに対して、引用発明では先端チップ部２５における内管３０の遠位端部外周にあたる部分と外管２４の遠位端部との間にわたり設けられており、その配置位置が異なる点。
【相違点２】
　本願発明の光ファイバーは、バルーンルーメン内のインナーチューブの外周面に長手方向に沿って接着して配置されたのに対して、引用発明における光ファイバ３３の内管３０への固定方法が接着ではなく熱収縮チューブ３４によるものであるとともに、その固定位置が外管２４の内部ではなくバルーン部２２内部である点。
【相違点３】
　本願発明のセンサは、光ファイバーと略同径であるのに対して、引用発明では圧力センサ４０の径と光ファイバ３３の径との関係が明らかでない点。
【相違点４】
　本願発明における金属パイプの周壁の厚みは、光ファイバーの半径以下の肉薄に形成されているのに対して、引用発明では短チューブ３７の周壁の厚みと光ファイバ３３の径との関係が明らかでない点。 
第６　判断 
　上記相違点について、判断する。
（１）相違点１について
　カテーテルの技術分野において、患者への負荷を軽減する観点から小径化が進んでいる点はよく知られており（たとえば引用文献２【０００４】）、カテーテルの小径化という課題を踏まえ、引用発明に記載されたバルーン部２２の配置位置をどことするかは、当業者が適宜決定できる設計的事項といえる。
　したがって、引用発明に記載されたバルーン部２２の配置位置を内管３０の遠位端部とし、相違点１に係る本願発明の構成とすることは、当業者が容易に想到できたものである。
（２）相違点２について
　引用発明における光ファイバ３３は熱収縮チューブ３４により内管３０に固定されているが、固定する態様として一般的な接合技術である接着を用いることは、当業者が容易に想到できたものである。
　また、光ファイバ３３は確実に内管３０に対して固定できればよく、その固定位置をどの位置とするかは、当業者が適宜決定できる設計的事項といえる。
　したがって、引用発明に記載された光ファイバ３３を内管３０に対して接着により固定するとともに、その固定位置を外管２４内とし、相違点２に係る本願発明の構成とすることは、当業者が容易に想到できたものである。
（３）相違点３について
　引用文献３には第４　２（２）の引用文献３技術が記載されているところ、引用文献３技術の光ファイバ及び圧力センサは、いずれもバルーンカテーテルに用いられる圧力センサ及び光ファイバに関する技術である。
　したがって、引用発明に記載された「圧力センサ４０」を、引用文献３技術をふまえて光ファイバの同径以下のダイヤフラムとして、相違点３に係る本願発明の構成とすることは、当業者が容易に想到できたものである。
（４）相違点４について
　引用発明の「短チューブ３７」は、充填空間３８の周囲壁を構成している（引用文献２【００３６】）ところ、短チューブ３７の機能及びその技術常識からみて、その厚みは周囲壁を構成できるものであればよく、半径以下とする臨界的意義も見出せないことから、具体的にどの程度の厚みとするかは、当業者が適宜決定できる事項である。
　したがって、引用発明に記載された「短チューブ３７」の厚みを、光ファイバ３３の半径以下の肉薄とすることは、当業者が容易に想到できたものである。
　なお、令和１年６月１１日付け回答書において請求人は、金属パイプの周壁の厚みについて、金属パイプの径を可及的に小さくすることで先端チップも細くでき、カテーテル自体の小径化も可能となる、旨主張する。
　しかし、第６（１）で示したとおり、カテーテルの技術分野において、患者への負荷を軽減する観点から小径化が進んでいる点はよく知られている上に、回答書を参酌しても金属パイプの周壁の厚みが薄ければよい点が示されているに過ぎず、その厚みを光ファイバーの半径以下とした臨界的意義を見出せない。
　したがって、請求人が主張する作用・効果は、引用発明及び原出願の出願時における技術常識から予測できるものであることから、請求人の意見を採用することはできない。
第７　むすび
　以上のとおり、本願発明は、原出願の出願日の時点で頒布されていた引用文献２、３に基づいて、当業者が容易に想到できたものであり、特許法２９条２項の規定により特許を受けることができないから、本願の分割要件について検討するまでもなく、本願は拒絶されるべきものである。
　よって、結論のとおり審決する。